(57)【要約】【課題】本開示は、振動により排水装置の部品の接続が外れることを抑制できる洗濯機を提供する。【解決手段】本開示における洗濯機は、筐体と、外槽と、第一の排水管と、排水コックユニットと、第１の排水管と、第２の排水管と、を備える。第一の排水管は、外槽の底部と接続される。排水コックユニットは、第一の排水管の下流側に接続され、第一の排水管から排水するか止水するか、を切替可能である。第１の排水管は、排水コックユニットに接続され、前記筐体に固定される。第２の排水管は、外槽の上部と、前記排水コックユニットと、に接続される。また、排水コックユニットは、少なくとも、第１のフレームと、第二のフレームで構成されており、第１のフレームと第二のフレームは、ネジ止め及び爪嵌合により固定されている。これにより、第１のフレームと第二のフレームとの間の接続が外れ、水が漏れることを防止することができる。【選択図】図３
2019187486.tif 000002
【特許請求の範囲】
【請求項１】
筐体と、
前記筐体の内部に弾性的に支持された外槽と、
前記外槽の底部に接続され
、前記外槽内の洗濯水を排水するか止水するか、を切替可能な排水コックユニットと、
前記排水コックユニットに接続され、前記筐体に固定される第１の排水管と、
前記外槽の上部と、前記排水コックユニットと、に接続される第２の排水管と、を備え、前記排水コックユニットは、少なくとも、前記外槽の底部に接続された第１のフレームと、少なくとも、前記第１の排水管が接続された第２のフレームで構成されており、
前記第１のフレームと前記第２のフレームは、ネジ止め及び爪嵌合により固定されている、
洗濯機。
【請求項２】
前記第１のフレームと前記第２のフレームは、それぞれの端部に設けられた外縁部にて固定されており、前記ネジ止めは、前記外縁部において、前記第１のフレームが前記外槽の底部に接続された向きと異なる位置に設けられている、
請求項１に記載の洗濯機。
【請求項３】
前記外縁部に設けられた前記ネジ止めは一つであり、前記外縁部において、前記第１のフレームが前記外槽の底部に接続された向き、前記第１の排水管が配設されている向き、及び前記第２の配設されている向き、と異なる位置に固定されている、
請求項１又は請求項２に記載の洗濯機。
【発明の詳細な説明】
【技術分野】
【０００１】
本開示は、衣類等を洗濯する洗濯機に関する。
【背景技術】
【０００２】
特許文献１は、衣類等を洗濯する洗濯機を開示する。この洗濯機は、筐体と、筐体内に垂下防振支持された外槽と、外槽の内部に回転自在に設けられた内槽と、内槽の中央内底部に回転自在に設けられた回転翼と、内槽または回転翼を回転させるモータと、外槽の底部に接続された接続ダクトと、接続ダクトからの排水を排水弁へと導入する排水ダクトと、排水弁と、排水弁からの排水を機外へ排水する排水ホースとを備える。
【先行技術文献】
【特許文献】
【０００３】
【特許文献１】特開２０１５−０５４１５８号公報
【発明の概要】
【発明が解決しようとする課題】
【０００４】
しかしながら、従来の洗濯機は、洗濯運転の際に外槽や内槽が振動することで、排水装置の部品同士の接続が外れてしまう虞があった。本開示は、振動により排水装置の部品の接続が外れることを抑制できる洗濯機を提供する。
【課題を解決するための手段】
【０００５】
本開示における洗濯機は、筐体と、外槽と、排水コックユニットと、第１の排水管と、第２の排水管と、を備える。排水コックユニットは、外槽の底部に接続され、外槽内の洗濯水を排水するか止水するか、を切替可能である。第１の排水管は、排水コックユニットに接続され、前記筐体に固定される。第２の排水管は、外槽の上部と、前記排水コックユニットと、に接続される。また、排水コックユニットは、少なくとも、外槽の底部に接続された第１のフレームと、第１の排水管及び第２の排水管が接続された第２のフレームで構成されており、第１のフレームと第２のフレームは、ネジ止め及び爪嵌合により固定されている。
【発明の効果】
【０００６】
本開示における洗濯機は、外槽の振動により排水管が外れることを抑制できる。
【図面の簡単な説明】
【０００７】
【図１】実施の形態１における洗濯機の縦断面模式図
【図２】実施の形態１における洗濯機の排水ユニットの正面図
【図３】図２におけるＡ−Ａ断面図
【図４】図２におけるＢ−Ｂ横断面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することを意図していな
い。
【００１０】
（実施の形態１）
［１−１．洗濯機の構造］
図１は、実施の形態１における洗濯機の縦断面模式図である。
【００１１】
図１において、洗濯機１００は、筐体２００と、外槽３００と、内槽４００と、を備える。
【００１２】
筐体２００内には、外槽３００がサスペンション３１０により弾性支持されている。サスペンション３１０は、外槽３００の振動を吸収し、振動が筐体２００に伝わらないようにする。外槽３００は、上面を開口した有底円筒状であり、同様に円筒状である内槽４００を内包している。内槽４００は、回転中心軸が鉛直方向となるように、外槽３００内に回転自在に設置されている。
【００１３】
筐体２００は、外槽３００及び内槽４００の開口に対向するように、開口を有する。筐体２００の上部には、筐体２００の開口を覆うように、蓋２１０が開閉自在に設けられる。
【００１４】
筐体２００上部には、内槽４００に給水する給水弁５００が設けられている。洗濯機１００が給水弁５００を開くと、水が内槽４００内部に注水される。また、外槽３００の後部下方には、排水コックユニット７００が配置されている。排水コックユニット７００については、後述する。
【００１５】
外槽３００の下方には、モータ４２０が配置される。内槽４００の内底部には、回転翼４１０が設けられる。内槽４００と回転翼４１０は、クラッチ（図示せず）及び洗濯軸・脱水軸（図示せず）を介し、モータ４２０に連結されている。クラッチを切り替えることにより、モータ４２０の回転駆動力は洗濯軸、又は洗濯軸と脱水軸の両方に伝達される。回転駆動力が、洗濯軸に伝達されると、回転翼４１０が回転する。回転駆動力が、洗濯軸と脱水軸の両方に伝達されると、内槽４００と回転翼４１０とが同時に回転する。
【００１６】
続いて、図２〜４を用いて、排水コックユニット７００について説明する。図２は、実施の形態１における洗濯機の排水ユニットの正面図、図３は、図２におけるＡ−Ａ断面図、図４は、図２におけるＢ−Ｂ断面図である。
【００１７】
排水コックユニット７００は、第１のフレームである排水コックフレーム７１０と、第２のフレームである排水管フレーム７２０から構成されている。排水コックフレーム７１０は、外槽３００の底部に接続される外槽接続管７１１と、外槽接続管７１１の下流側で排水コック制御部７３０が接続される排水コック部７１２と、排水コック部７１２の下部に設けられた排水コック流出管７１３と、排水コック流出管７１３の下端部に設けられたフレーム接続上部７１５と、外槽接続部７１４とを備える。外槽接続管７１１は、外槽３００と接続され、排水コック部７１２へ水を導入する。排水コック部７１２は、排水コックユニット７００の内部に設けられている。排水コック部７１２は、排水コック制御部７３０が排水弁（図示せず）を切り替えることで、外槽３００内の洗濯水を排水又は止水を行う。外槽接続部７１４は、排水コックフレーム７１０の上部に設けられ、排水コックフレーム７１０を外槽３００に固定する。排水コック流出管７１３の下端部に設けられたフレーム接続上部７１５は、排水管フレーム７２０を接続する。
【００１８】
フレーム接続上部７１５は、水平方向に延伸するリブ状に構成されている。図３、図４において、フレーム接続上部７１５には、貫通孔７１６が設けられている。貫通孔７１６
は、四角形状に形成されている。貫通孔７１６の周りは、厚みのある囲い部７１８が設けられている。
【００１９】
また、フレーム接続上部７１５には、上方に向けてネジ穴７１７が設けられている。ネジ穴７１７は、管の中心に対して、貫通孔７１６の点対称となるように配設されている。
【００２０】
続いて、排水管フレーム７２０について説明する。図２において、排水管フレーム７２０は、排水コック流出管７１３からの水が流入する排水流入管７２１と、排水流入管７２１から略直角方向に折れ曲がる排水流出管７２２とを備え、排水流出管７２２には、第１の排水管６１０が接続される第１の排水管接続管７２３と、第２の排水管６２０が接続される第２の排水管接続管７２４と、が設けられている。第１の排水管６１０は蛇腹状のホースであり、筐体２００に固定される。第１の排水管から排水された水は、洗濯機１００の外部へと排出される。第２の排水管６２０は、他端を外槽３００の上部に接続され、外槽３００から溢れた水を排水するために設けられている。
【００２１】
図２、図３において、排水流入管７２１の上端部には、フレーム接続下部７２５が設けられている。フレーム接続下部７２５は、フレーム接続上部７１５と同様に、水平方向に延伸するリブ状である。フレーム接続下部７２５は、第２の排水管６２０が配設される向きに、爪７２６が配置される。爪７２６は、上方に延伸するように形成され、管内方に延設し、貫通孔７１６の内方と嵌め合わせられる。これにより、フレーム接続上部７１５と、フレーム接続下部７２５が固定される。また、囲い部７１８は、爪７２６の厚みに対して嵌合寸法になっている。これにより、爪７２６は、囲い部７１８から引き抜かれる際に、爪７２６の厚み方向が囲い部７１８に接触するようになっている。従って、爪７２６は、大きな力を加えられない限り、抜けることがない。
【００２２】
図４に示すように、ネジ用貫通孔７２７は、管の中心に対して、爪７２６の点対称となるように配設されている。ネジ用貫通孔７２７は、ネジ穴７１７と連通するように、構成されている。ネジ７２８は、ネジ用貫通孔７２７を通り、ネジ穴７１７に係って止められるように、下方から上方に向けて取り付けられる。これにより、フレーム接続上部７１５と、フレーム接続下部７２５とを固定する。
【００２３】
［１−２．動作］
以上のように構成された洗濯機１００について、その動作を以下説明する。
【００２４】
ユーザが、操作表示部（図示せず）より運転開始を設定入力すると、洗濯機１００が、洗濯運転を開始する。洗濯運転が開始されると、モータ４２０により内槽４００が回転される。すると、内槽４００の回転に伴い、内槽４００及び外槽３００は前後左右に振動する。
【００２５】
排水コックフレーム７１０は、外槽３００に固定されている。従って、排水コックフレーム７１０は、内槽４００及び外槽３００の振動に伴い、前後左右に振動する。
【００２６】
一方、排水管フレーム７２０は、接続された第１の排水管６１０が筐体２００に固定されているため、排水コックフレーム７１０が前後左右に振動すると、第１の排水管６１０によって振動する向きの外力が排水管フレーム７２０に働く。
【００２７】
前述のように、フレーム接続上部７１５とフレーム接続下部７２５との間は、ネジ止めと爪嵌合とで、固定されている。排水コックフレーム７１０が、特に上下方向に振動した場合、爪７２６が貫通孔７１６から抜ける方向への外力が働く。そこで、ネジ止めを一か所設けたことにより、引っ張り方向への外力に耐えることができる。これにより、内槽４
００及び外槽３００の振動によってフレーム同士の接合が外れることを、効果的に防止することができる。この時、第１の排水管が配設されている位置には、大きな引っ張り方向への外力がかかる。従って、ネジ止めを設ける位置は、第１の排水管６１０が配設されている位置に近い方が望ましい。
【００２８】
また、フレーム接続上部７１５とフレーム接続下部７２５との間は、ネジ止めは一か所のみであり、管が配設されていない方向のみに設けられている。従って、製造の際、ネジ止めの作業性が高くなるとともに、ネジ止めの工数を少なくすることができる。
【００２９】
また、囲い部７１８は、爪７２６の厚みに対して、嵌合寸法となっている。従って、爪７２６の抜けを防止し、排水コックユニット７００の接続部において、引っ張り方向への外力に対する耐久力を高めることができる。
【００３０】
［１−３．効果］
本発明における洗濯機１００は、筐体２００と、外槽３００と、排水コックユニット７００と、第１の排水管６１０と、第２の排水管６２０と、を備える。外槽３００は、筐体２００の内部に弾性的に支持される。排水コックユニット７００は、外槽３００の底部と接続される。排水コックユニット７００は、外槽３００から排水するか止水するか、を切替可能である。排水コックユニット７００は、排水コックフレーム７１０と、排水管フレーム７２０で構成されている。第１の排水管６１０は、排水管フレーム７２０に接続され、筐体２００に固定される。第２の排水管６２０は、外槽３００の上部と、排水管フレーム７２０と、に接続される。また、排水コックフレーム７１０と排水管フレーム７２０は、ネジ止め及び爪嵌合により固定されている。
【００３１】
これにより、排水コックフレーム７１０と排水管フレーム７２０との間の固定が、外槽３００の振動により外れる虞を低減できる。そのため、排水コックフレーム７１０と排水管フレーム７２０との接続が外れ、水が漏れることを防止することができる。
【００３２】
本実施の形態のように、排水コックフレーム７１０と排水管フレーム７２０は、それぞれの端部に設けられた外縁部にて固定されており、ネジ止めは、外縁部において、外槽接続管７１１が配設されている向きと異なる位置に設けられている構成にしてもよい。
【００３３】
これにより、排水コックフレーム７１０と排水管フレーム７２０との間の固定を、より外れにくくすることができる。そのため、排水コックフレーム７１０と排水管フレーム７２０との接続が外れ、水が漏れることを防止することができる。
【００３４】
本実施の形態のように、外縁部に設けられたネジ止めは一つであり、外縁部において、外槽接続管７１１が配設されている向き、第１の排水管６１０が配設されている向き、及び第２の排水管６２０が配設されている向き、と異なる位置に固定されている構成にしてもよい。
【００３５】
これにより、最小限のネジ止めで、振動の際に力がかかる部位を補強できるとともに、近傍に管が配設されていない位置にネジ止めを配設することができる。そのため、製造の際の作業性が向上するとともに、ネジを複数使わなくて済むため、製造原価や工数を削減できる。
【００３６】
（他の実施の形態）
以上のように、本出願において開示する技術の例示として、実施の形態１を説明した。しかしながら、本開示における技術は、これに限定されず、変更、置き換え、付加、省略などを行った実施の形態にも適用できる。また、上記実施の形態１で説明した各構成要素
を組み合わせて、新たな実施の形態とすることも可能である。
【００３７】
そこで、以下、他の実施の形態を例示する。
【００３８】
実施の形態１では、洗濯機の一例として縦型洗濯機を説明した。洗濯機は、布を水洗できるものであればよいので、縦型洗濯機に限定されない。従って、洗濯機として、ドラム式洗濯機を用いてもよい。
【００３９】
実施の形態１では、排水コックユニットの一例として、排水コックフレームと排水管フレームの組み合わせにより構成された排水コックユニットを説明した。排水コックユニットは、少なくとも、第１のフレームと、第２のフレームで構成されていればよいので、排水コックフレームと排水管フレームの二つの組み合わせに限定されない。従って、三つ以上のフレームで構成されていてもよい。
【００４０】
実施の形態１では、第２の排水管の一例として、排水管フレームに接続された第２の排水管を説明した。第２の排水管は、外槽の上部と、排水ユニット、に接続されればよい。従って、第２の排水管は、排水管フレームと接続されていてもよいし、排水コックフレームと接続されていてもよい。ただし、排水管フレームと接続されていることで、洗濯槽内に水が貯められている状態で水が溢れたとしても、第２の排水管を介して第１の排水管から排水を行うことができる。
【００４１】
実施の形態１では、爪の一例として、フレーム接続下部に設けられた爪を説明した。爪は、貫通孔と嵌め合わせてあればよい。従って、爪をフレーム接続上部に設け、貫通孔をフレーム接続上部に設けても構わない。
【００４２】
実施の形態１では、ネジ止めの一例として、爪嵌合と点対称になる位置に一つだけ設けられたネジ止めを説明した。ネジ止めは、第１のフレームと第２のフレームを固定すればよいので、一つだけに限定されず、複数あってもよい。また、点対称となる位置でなくてもよい。ただし、爪嵌合に対し、点対称となる位置にネジ止めを設けたことで、外力に対して接続部の耐久性を高めることができる。
【００４３】
なお、上述の実施の形態は、本開示における技術を例示するためのものであるから、特許請求の範囲またはその均等の範囲において種々の変更、置き換え、付加、省略などを行うことができる。
【産業上の利用可能性】
【００４４】
本開示は、洗濯水を排水する洗濯機に適用可能である。具体的には、縦型洗濯機、ドラム式洗濯機、二槽式洗濯機などに、本開示は適用可能である。
【符号の説明】
【００４５】
１００  洗濯機
２００  筐体
２１０  蓋
３００  外槽
３１０  サスペンション
４００  内槽
４１０  回転翼
４２０  モータ
５００  給水弁
６１０  第１の排水管
６２０  第２の排水管
７００  排水コックユニット
７１０  排水コックフレーム（第１のフレーム）
７１１  外槽接続管
７１２  排水コック部
７１３  排水コック流出管
７１４  外槽接続部
７１５  フレーム接続上部
７１６  貫通孔
７１７  ネジ穴
７１８  囲い部
７２０  排水管フレーム（第２のフレーム）
７２１  排水流入管
７２２  排水流出管
７２３  第１の排水管接続管
７２４  第２の排水管接続管
７２５  フレーム接続下部
７２６  爪
７２７  ネジ用貫通孔
７２８  ネジ
【図１】
2019187486.tif 000003
【図２】
2019187486.tif 000004
【図３】
2019187486.tif 000005
【図４】
2019187486.tif 000006